(57)【要約】      （修正有）【課題】眼用吸引システムにおける種々の排出法の中から、手動または自動のどちらかで選択する能力を提供する、眼用吸引システムを提供すること。【解決手段】種々の排出方法またはオプションの中から、手動または自動のどちらかで選択する能力を提供する、眼用吸引システム２０である。さらに、本発明は、同時に用いられる排出オプションまたは方法の組み合わせ２８，３６を使用して排出する能力を提供する。その選択は、電子スイッチ、グラフィカルユーザーインターフェース、電子的に制御された電子機械的デバイスおよび他の一般的に用いられる選択方法を使用してなされ得る。【選択図】図１
2011147798.tif 000002
【特許請求の範囲】
【請求項１】
明細書に記載の発明。
【発明の詳細な説明】
【技術分野】
【０００１】
（発明の背景）
（１．発明の分野）
本発明は、眼用洗浄および吸引システムならびに、より詳細には、眼用吸引システムにおける排出に関する。
【背景技術】
【０００２】
（２．関連技術）
現在市場に出ている全ての眼用洗浄および吸引システムは、ただ１つの排出するための手段を提供する。用語「排出」は、洗浄／吸引システムの構成要素間、あるいは洗浄／吸引システムと周囲の大気圧との間の、真空または圧力差を減少させるかまたは除去する一般的な方法を言う。
【０００３】
用語「液体排出」は、洗浄液経路と吸引経路との間の接続を経由する、眼と接触する吸引回路の部分と吸引回路の残りの部分との間の圧力差の減少を言う。用語「空気排出」または「大気排出」は、吸引経路と大気圧の周辺空気との間の接続を経由する、眼と接触する吸引回路の部分と吸引回路の残りの部分との間の圧力差の減少を言う。
【０００４】
蠕動ポンプを利用する、眼用洗浄／吸引システムにおいては、液体排出は最も一般的に使用される方法である。例えば、Ａｌｃｏｎ  Ｌａｂｏｒａｔｏｒｉｅｓより販売されているＡｃｃｕｒｕｓ顕微手術システムは、その蠕動ポンプベースの洗浄／吸引システムにおいて液体排出を使用する。他のタイプの排出はこのシステムにおいては使用されない。
【０００５】
ＡＭＯにより販売されているような、いくつかの蠕動システムにおいては、排出はポンプの逆転を通して達成される。
【０００６】
Ｂａｕｓｃｈ  ＆  Ｌｏｍｂ  Ｓｕｒｇｉｃａｌより販売されている、そのＰｈａｃｏｔｒｏｎ  Ｇｏｌｄ製品およびそのＳｔｏｒｚ  Ｍｉｌｌｅｎｎｉｕｍ
Ｍｉｃｒｏｓｕｒｇｉｃａｌ  Ｓｙｓｔｅｍ製品のような、ベンチュリ吸引システムに対しては、空気排出が使用される。
【０００７】
現在商業的使用がされている全ての眼用吸引システムは、選択のための機会のない、排出のための単一の方法またはオプションを有している。
【発明の概要】
【発明が解決しようとする課題】
【０００８】
従って、当該分野において、眼用吸引システムにおける種々の排出法の中から、手動または自動のどちらかで選択する能力を提供する、眼用吸引システムを提供する必要がある。
【課題を解決するための手段】
【０００９】
（発明の要旨）
本発明が開発されたのは、上記の問題に鑑みてのことである。本発明は、種々の排出方法またはオプションの中から、手動または自動のどちらかで選択する能力を提供する、眼用吸引システムである。さらに、本発明は、同時に用いられる排出オプションまたは方法の組み合わせを使用して排出する能力を提供する。その選択は、電子スイッチ、グラフィカルユーザーインターフェース、電子的に制御された電子機械的デバイスおよび他の一般的に用いられる選択方法を使用してなされ得る。
【００１０】
本発明のさらなる特徴および長所、ならびに本発明の様々な実施態様の構造および操作は、以下に、添付図を参照にして詳細に述べられる。
本発明は、例えば以下の項目を提供する。
(項目１）  眼用吸引システム（２０）を排出させる方法であって、以下：
第一の排出オプション（２８）を提供する工程；
第二の排出オプション（３６）を提供する工程；
該第一および第二の排出オプションのうちの１つを選択する工程（６６）、
を包含する方法。
(項目２）  前記選択する工程が、以下：
電子スイッチを係合する工程、グラフィカルユーザーインターフェースに情報を入力する工程、または電子的に制御された電子機械スイッチを係合する工程、
のうち少なくとも１つを用いることにより達成される、項目１に記載の眼用吸引システム（２０）を排出させる方法。
(項目３）  前記第一の排出オプションが、液体排出工程を包含する、項目１に記載の眼用吸引システム（２０）を排出させる方法。
(項目４）  前記第二の排出オプションが、空気排出工程を包含する、項目１に記載の眼用吸引システム（２０）を排出させる方法。
(項目５）  前記第二の排出オプションが、メーター（２４）逆転を包含する、項目１に記載の眼用吸引システム（２０）を排出させる方法。
(項目６）  眼用吸引システム（２０）であって、以下：
第一の排出オプション（２８）；
第二の排出オプション（３６）；
該第一および第二の排出オプションのうちの１つを選択するための選択デバイス（６６）、
を備えるシステム。
(項目７）  前記第一の排出オプションが、液体排出工程である、項目５に記載の眼用吸引システム（２０）。
(項目８）  前記第二の排出オプションが、空気排出工程である、項目５に記載の眼用吸引システム（２０）。
(項目９）  前記選択デバイス（６６）が、電子スイッチである、項目５に記載の眼用吸引システム（２０）。
(項目１０）  前記選択デバイス（６６）が、グラフィカルユーザーである、項目５に記載の眼用吸引システム（２０）。
(項目１１）  前記選択デバイス（６６）が、電子的に制御された電子機械スイッチである、項目５に記載の眼用吸引システム（２０）。
【図面の簡単な説明】
【００１１】
明細書の中に含まれるかまたは一部を構成する添付の図面は、本発明の実施形態を図示し、そしてその説明と一緒になって、本発明の原理の説明に役立つ。
【図１】図１は、本発明の眼用洗浄／吸引システムを図示する。
【図２】図２は、排出オプションまたは方法を選択するためのユーザーインターフェースを図示する。
【発明を実施するための形態】
【００１２】
（好ましい実施形態の詳細な説明）
同様の参照番号が同様の要素を指し示している、添付の図面を参照して、図１は、容積式、スクロールポンプとの使用のために構成された眼用洗浄／吸引システムを図示する。
【００１３】
上記に鑑みると、本発明のいくつかの長所が達成され、そして到達されることが分かる。
【００１４】
実施形態は、本発明の原理および実際の適用を最も良く説明するために選択され、そして述べられ、それによって当業者が、種々の実施形態において、そして意図された特定の使用に適するような種々の変更とともに、本発明を最も良く使用することを可能にする。
【００１５】
種々の変更が、本発明の範囲から離れることなく本明細書中で述べられ、そして図示された構造および方法においてなされ得るように、上記の説明に含まれるかまたは添付の図面において示される全ての事項は、限定すると言うよりむしろ例示的なものとして理解されることが意図される。従って、本発明の広さおよび範囲は、いかなる上述の例示的な実施形態によっても限定されるべきではなく、本明細書に付記されている上記の特許請求の範囲およびその均等の範囲のとおりにのみ規定されるべきである。
【図１】
2011147798.tif 000003
【図２】
2011147798.tif 000004
【外国語明細書】
2011147798000001.pdf